(57)【特許請求の範囲】
【請求項１】
１枚のシートから組み立てられて立方体状をなすブロック玩具であって、
方形筒体を形成する側面部と、当該側面部により形成される方形筒体の上下開口を被覆して、前記側面部とで前記立方体状を形成させる蓋部とを備え、
前記側面部は、折り目を介して一方向に連接する４つの側面板と、当該連接方向に連なる側面板の一端に折り目を介して連接する差し込み片と、当該側面板の連接方向の他端で折り目を介して連接する折り返し片と、当該折り返し片と当該側面板とが連接する折り目部分に設けられて前記差し込み片を挿し込み可能とされた切り込み部とを備え、
前記蓋部は、前記方形筒体の上部開口縁部をなす前記側面板の一辺の１つと、前記方形筒体の下部開口縁部をなす前記側面板の一辺の１つのそれぞれに、折り目を介して連接する蓋板と、当該各蓋板の先端に折り目を介して連接する差し込み部とを備え、
前記方形筒体の前記上部開口縁部と前記下部開口縁部をなす前記側面板の辺のうち、前記蓋板と連接しない各辺の少なくとも１つに、折り目を介して連接するフラップを備え、
前記蓋板の幅は、前記折り目を介して連接する前記側面板の一辺の幅よりも短く形成されているブロック玩具。
【請求項２】
１枚のシートから組み立てられて立方体状をなすブロック玩具であって、
方形筒体を形成する側面部と、当該側面部により形成される方形筒体の上下開口を被覆して、前記側面部とで前記立方体状を形成させる蓋部とを備え、
前記側面部は、折り目を介して一方向に連接する４つの側面板と、当該連接方向に連なる側面板の一端に折り目を介して連接する差し込み片と、当該側面板の連接方向の他端で折り目を介して連接する折り返し片と、当該折り返し片と当該側面板とが連接する折り目部分に設けられて前記差し込み片を挿し込み可能とされた切り込み部とを備え、
前記蓋部は、前記方形筒体の上部開口縁部をなす前記側面板の一辺の１つと、前記方形筒体の下部開口縁部をなす前記側面板の一辺の１つのそれぞれに、折り目を介して連接する蓋板と、当該各蓋板の先端に折り目を介して連接する差し込み部とを備え、
前記方形筒体の前記上部開口縁部と前記下部開口縁部をなす前記側面板の辺のうち、前記蓋板と連接しない各辺の少なくとも１つに、折り目を介して連接するフラップを備え、
前記フラップの幅は、前記側面板に連接する折り目部分では当該側面板の一辺の幅よりも短く、当該折り目部分から離間した部位が当該側面板の一辺と同じ程度の長さとされ、当該折り目部分とは反対側となる当該フラップの端部が当該側面板の一辺の幅よりも短いブロック玩具。
【請求項３】
前記フラップは、前記蓋板と連接していない前記側面板の各辺の全てに、折り目を介して連接する請求項１又は請求項２に記載のブロック玩具。
【請求項４】
前記差し込み部の幅は、前記蓋板が連接する前記側面板の一辺と同じ程度の長さである請求項１乃至請求項３のいずれかに記載のブロック玩具。
【請求項５】
前記側面板と前記フラップが連接する前記折り目のうち少なくとも１つがミシン目状とされている請求項１乃至請求項４のいずれかに記載のブロック玩具。
【請求項６】
前記フラップにおける前記折り目部分から離間した部位は、前記折り目部分から当該フラップの前記端部までの領域において中心部よりも当該折り目部分側によった位置とされている請求項２に記載のブロック玩具。
【請求項７】
前記差し込み片は、突出している方向にくびれ形状を有する請求項１乃至請求項６のいずれかに記載のブロック玩具。
【請求項８】
請求項１乃至請求項７のいずれかに記載のブロック玩具の展開図の輪郭に対応する切り取り線と、
当該ブロック玩具の折り目に対応する折り目線と、
当該ブロック玩具の切り込み部に対応する切り込み線と、が形成されているブロック玩具作成用シート。
【発明の詳細な説明】
【技術分野】
【０００１】
本発明は、ブロック玩具及びブロック玩具作成用シートに関する。
【背景技術】
【０００２】
組み立てて遊ぶ玩具として、平板状の小片からなるピースを組み立てるジグソーパズルがよく知られている。また、平板状ではなく、立体形状の遊ぶ玩具としては、積み木やブロックがある。積み木やブロックには、直方体や三角柱、円柱など、色々な形のものが含まれるのが一般的であるが、立方体からなる積み木やブロックもある。例えば、下記の特許文献１には、立方体の展開図が印刷された１枚のシートから組み立てられるブロック玩具について開示されている。
【先行技術文献】
【特許文献】
【０００３】
【特許文献１】登録実用新案第３１６４３６８号公報
【発明の概要】
【発明が解決しようとする課題】
【０００４】
しかしながら、上記特許文献１に記載されたブロック玩具では、展開図に糊代部が設けられ、組み立てに糊付けが必要となるので、組み立て作業が煩わしいという問題がある。
【０００５】
本発明は、上記課題に鑑みなされたものであって、糊付けをしなくても、１枚のシートから強固に組み立て可能であり、他のブロック玩具に対して簡易かつ強固に結合できて取り外しも容易なブロック玩具を提供することにある。
【課題を解決するための手段】
【０００６】
本発明の一局面に係るブロック玩具は、
１枚のシートから組み立てられて立方体状をなすブロック玩具であって、
方形筒体を形成する側面部と、当該側面部により形成される方形筒体の上下開口を被覆して、前記側面部とで前記立方体状を形成させる蓋部とを備え、
前記側面部は、折り目を介して一方向に連接する４つの側面板と、当該連接方向に連なる側面板の一端に折り目を介して連接する差し込み片と、当該側面板の連接方向の他端で折り目を介して連接する折り返し片と、当該折り返し片と当該側面板とが連接する折り目部分に設けられて前記差し込み片を挿し込み可能とされた切り込み部とを備え、
前記蓋部は、前記方形筒体の上部開口縁部をなす前記側面板の一辺の１つと、前記方形筒体の下部開口縁部をなす前記側面板の一辺の１つのそれぞれに、折り目を介して連接する蓋板と、当該各蓋板の先端に折り目を介して連接する差し込み部とを備え、
前記方形筒体の前記上部開口縁部と前記下部開口縁部をなす前記側面板の辺のうち、前記蓋板と連接しない各辺の少なくとも１つに、折り目を介して連接するフラップを備え、
前記蓋板の幅は、前記折り目を介して連接する前記側面板の一辺の幅よりも短く形成されているものである。
【０００７】
本発明の一局面に係るブロック玩具は、
１枚のシートから組み立てられて立方体状をなすブロック玩具であって、
方形筒体を形成する側面部と、当該側面部により形成される方形筒体の上下開口を被覆して、前記側面部とで前記立方体状を形成させる蓋部とを備え、
前記側面部は、折り目を介して一方向に連接する４つの側面板と、当該連接方向に連なる側面板の一端に折り目を介して連接する差し込み片と、当該側面板の連接方向の他端で折り目を介して連接する折り返し片と、当該折り返し片と当該側面板とが連接する折り目部分に設けられて前記差し込み片を挿し込み可能とされた切り込み部とを備え、
前記蓋部は、前記方形筒体の上部開口縁部をなす前記側面板の一辺の１つと、前記方形筒体の下部開口縁部をなす前記側面板の一辺の１つのそれぞれに、折り目を介して連接する蓋板と、当該各蓋板の先端に折り目を介して連接する差し込み部とを備え、
前記方形筒体の前記上部開口縁部と前記下部開口縁部をなす前記側面板の辺のうち、前記蓋板と連接しない各辺の少なくとも１つに、折り目を介して連接するフラップを備え、
前記フラップの幅は、前記側面板に連接する折り目部分では当該側面板の一辺の幅よりも短く、当該折り目部分から離間した部位が当該側面板の一辺と同じ程度の長さとされ、当該折り目部分とは反対側となる当該フラップの端部が当該側面板の一辺の幅よりも短いものである。
【０００８】
また、本発明の一局面に係るブロック玩具作成用シートは、
上記ブロック玩具の展開図の輪郭に対応する切り取り線と、
当該ブロック玩具の折り目に対応する折り目線と、
当該ブロック玩具の切り込み部に対応する切り込み線と、が形成されているものである。
【発明の効果】
【０００９】
本発明によれば、４つの側面板及び折り返し片を折り曲げ、折り返し片に形成された切り込み部に、差し込み片を差し込んで係合させることにより、４つの側面板からなる方形筒体をまず強固に組み立てることができる。
【００１０】
そして、方形筒体の上部開口縁部と下部開口縁部をなす側面板の辺に連接されているフラップを、方形筒体の上部及び下部の開口内側に入れ込むようにして折り込み、さらに、これらの上にそれぞれ蓋板を折り重ね、当該蓋板の先端に設けられている差し込み部を方形筒体内に差し込むことにより、蓋板を方形筒体に接続させることができる。当該差し込み部は、方形筒体内に差し込んだときに、方形筒体内に存在するフラップからの押圧によりフラップに挟持され、蓋板の方形筒体に対する接続が強固になる。
【００１１】
また、各側面板に設けられている少なくとも１つのフラップを、上記のように方形筒体の開口内側に入れ込まず、方形筒体の外に突出した状態としておくことも可能である。本発明に係るブロック玩具は、上記組立により、蓋板が設けられている側面板に隣接する各側面板と蓋板との間に隙間が形成されることになるので、当該隙間に、別のブッロク玩具の上記突出した状態のフラップを差し込むことができる。これにより、本発明に係るブロック玩具同士での結合が可能になる。
【００１２】
また、上記隙間に差し込まれたフラップは、蓋体と当該蓋体の内側に折り重ねられたフラップとの間に挟まれ、当該蓋体及びフラップによる押圧を受けることになるので、上記隙間から抜けにくくなる。
【００１３】
このように、本発明に係るブロック玩具は、上記のように組み立てることで、糊付けをしなくても１枚のシートから簡易かつ強固に作成が可能である。また、他のブロック玩具に対して、簡易かつ強固に結合させることができる一方、他のブロック玩具に対して接着等ではなく上記押圧での結合となっているために取り外しも容易である。
【図面の簡単な説明】
【００１４】
【図１】本発明の実施形態に係るブロック玩具を構成するシートの一例を示した展開図である。
【図２】（Ａ）は、本発明の実施形態に係るブロック玩具を構成するシートからブロック玩具を組み立てる過程を概略的に示した斜視図であり、（Ｂ）（Ｃ）は、完成したブロック玩具を概略的に示した斜視図である。
【図３】本発明の実施形態に係るブロック玩具を上方から見た状態を模式的に示した透視図である。
【図４】（Ａ）〜（Ｃ）は、本発明の実施形態に係るブロック玩具を別のブロック玩具と結合させる構成を説明するための説明図である。
【図５】本発明の実施形態に係るブロック玩具を別のブロック玩具と結合させる他の例を示す図である。
【図６】（Ａ）〜（Ｃ）は、本発明の実施形態に係るブロック玩具を組み合わせた作品の一例を概略的に示した斜視図である。
【図７】ブロック玩具の展開図の輪郭に対応する切り取り線が形成されたシートを示したものであり、（Ａ）は展開図が１組形成された状態を示し、（Ｂ）は展開図が２組形成された状態を示す図である。
【発明を実施するための形態】
【００１５】
以下、本発明に係るブロック玩具及びブロック玩具作成用シートから組み立てたブロック玩具の実施の形態を図面に基づいて説明する。図１は、本発明の実施形態に係るブロック玩具を構成するシートの一例を示した展開図である。
【００１６】
シート１は、本発明の一実施形態に係るブロック玩具を構成する例えば紙素材のシートである。シート１は、各々正方形をした正面側面板２、左側面板３、背面側面板４、及び右側面板５を備え、正面側面板２、左側面板３、背面側面板４、及び右側面板５は折り目Ｌ１〜Ｌ３を介して繋がっている。なお、正面側面板２、左側面板３、背面側面板４、及び右側面板５は、特許請求の範囲における４つの側面板の一例となる。
【００１７】
正面側面板２の端辺には折り目Ｌ４を介して、根本部分が細幅にくびれた差し込み片６が設けられている。右側面板５の端辺には折り目Ｌ５を介して、折り返し片８が設けられている。当該折り目Ｌ５には、差し込み片６が差し込まれる切り込み部７が形成されている。なお、差し込み片６、切り込み部７、及び折り返し片８は、特許請求の範囲における差し込み片、切り込み部、及び折り返し片の一例となる。上記正面側面板２、左側面板３、背面側面板４、及び右側面板５の４つの側面板と、差し込み片６、切り込み部７、及び折り返し片８とが側面部２０を構成する。
【００１８】
左側面板３の上下端辺には折り目Ｌ６，Ｌ７を介して、フラップ９，１０が設けられている。右側面板５の上下端辺には折り目Ｌ８，Ｌ９を介して、フラップ１１，１２が設けられている。フラップ９，１０は、その先端部分（折り目Ｌ６，Ｌ７部分とは反対側となるフラップ９，１０の端部部分）と、折り目Ｌ６，Ｌ７に連接する根本部分の長さ（図１に示すＡ方向における長さ）が、左側面板３の一辺よりも両端が短い。また、フラップ９，１０において、図１に示すＢ方向における中央部分から折り目Ｌ６，Ｌ７側によった部分の幅Ｄ５０が、左側面板３の一辺と略同じ長さとなるように形成されている。なお、フラップ９，１０におけるＢ方向の中央部分が左側面板３の一辺と略同じ長さとなるように形成することも可能である。フラップ１１，１２の先端部分、根本部分、及び中央部分から折り目Ｌ８，Ｌ９側によった部分についても、右側面板５に対して、フラップ９，１０の場合と同様の寸法が設定されている。なお、フラップ９〜１２は、特許請求の範囲におけるフラップの一例となる。
【００１９】
背面側面板４の上記Ｂ方向における各端辺には、折り目Ｌ１０，Ｌ１１を介して、上蓋１５、下蓋１６が設けられている。上蓋１５、下蓋１６は、正面側面板２と右側面板５の端辺同士が接続されることで形成される正方形筒体の上下の開口を被覆する。上蓋１５、下蓋１６は、根本部分の両端が、背面側面板４の両端よりも内側にあり、幅Ｄ１５，Ｄ１６が、幅方向（Ａ方向）に延びる背面側面板４の一辺よりも短く形成されている。なお、各側面板を正方形としない形態も採用可能であり、その場合は、当該正方形筒体は単に方形筒体となる。本実施形態では、各側面板を正方形とする形態を説明する。
【００２０】
上蓋１５、下蓋１６の先端には、折り目Ｌ１２，Ｌ１３を介して、差し込み部１３，１４が設けられている。差し込み部１３，１４は、幅Ｄ１３，Ｄ１４が背面側面板４の一辺と略同じ長さとなるように形成されている。すなわち、差し込み部１３，１４の幅Ｄ１３，Ｄ１４は、上蓋１５、下蓋１６の幅Ｄ１５，Ｄ１６よりも大きく設定されている。なお、差し込み部１３，１４は、特許請求の範囲における差し込み部の一例となる。上蓋１５、下蓋１６、差し込み部１３、及び差し込み部１４は、蓋部３０を構成する。なお、上蓋１５及び下蓋１６は、特許請求の範囲における蓋板の一例となる。
【００２１】
正面側面板２の各端辺には、例えばミシン目からなる折り目Ｂ１７，Ｂ１８を介して、フラップ１７，１８が設けられている。折り目Ｂ１７，Ｂ１８は、フラップ１７，１８の可動域を広くするものである。フラップ１７，１８の先端部分、根本部分、及び中央部分から折り目Ｌ８，Ｌ９側によった部分についても、正面側面板２に対して、フラップ９，１０の場合と同様の寸法が設定されている。なお、フラップ１７，１８は、特許請求の範囲におけるフラップの一例となる。ここでは、折り目Ｂ１７，Ｂ１８がミシン目とされる例を示しているが、上記折り目Ｌ６〜Ｌ９，折り目Ｂ１７，Ｂ１８のいずれかがミシン目とされていればよい。
【００２２】
なお、上記には、正面側面板２、左側面板３及び右側面板５の各辺の全てにフラップが連接され、シート１がフラップ９〜１２，１７，１８を備える例を示しているが、当該フラップは、方形筒体の上部開口縁部と下部開口縁部とをなす正面側面板２、左側面板３及び右側面板５の各辺の少なくとも１つに設けられていればよい。
【００２３】
次に、シート１からブロック玩具を組み立てる方法について説明する。図２（Ａ）は、シート１からブロック玩具を組み立てる行程を概略的に示した斜視図であり、図２（Ｂ）（Ｃ）は完成したブロック玩具を概略的に示した斜視図である。
【００２４】
まず、正面側面板２と右側面板５の端辺同士が接触する状態まで、正面側面板２、左側面板３、背面側面板４、及び右側面板５、さらには折り返し片８を、折り目Ｌ１〜Ｌ５（図１）のそれぞれにおいて折り曲げ、図２（Ａ）に示すように、正面側面板２、左側面板３、背面側面板４、及び右側面板５により正方形筒体を形成する。このとき、折り返し片８は、正面側面板２の内側に入り込ませる。
【００２５】
この状態で、折り返し片８に形成された切り込み部７に差し込み片６を差し込み、差し込み片６を折り返し片８の内面に係合させる。差し込み片６はその根本部分が細幅にくびれ、上記Ｂ方向（図１）における最大幅が切り込み部７の当該Ｂ方向の幅と略同じに設定されている。このため、差し込み片６が切り込み部７に差し込みやすく、また、切り込み部７と差し込み片６との係合により、正面側面板２と右側面板５の端辺同士が強固に接続された正方形筒体が形成されることになる。
【００２６】
上記正方形筒体の上側の開口において、まず、フラップ１７を当該開口の内側に入れ込むようにして折り込み、次に、フラップ９，１１を当該開口の内側に入れ込むようにして折り込み、そして、その上に上蓋１５を折り重ね、上蓋１５先端の差し込み部１３を正面側面板２の上端部内側に差し込む。
【００２７】
フラップ１７の根本部分に形成されているミシン目からなる折り目Ｂ１７（図１）により、フラップ１７は正面側面板２に対して回動し易くなる。このため、フラップ１７は折り目Ｂ１７を軸にして、正面側面板２に接触するくらいまで回動可能であり、フラップ１７を正面側面板２の内壁近くまで折り込むことができる。これにより、差し込み部１３の差し込み口がフラップ１７で塞がれるのを防止する。
【００２８】
差し込み部１３は、フラップ１７と、フラップ９，１１との間に挿し入れられ、フラップ１７及びフラップ９，１１により挟持されるので、上蓋１５を正面側面板２に対して固く接続できる。
【００２９】
このとき、上蓋１５の幅Ｄ１５，Ｄ１６が背面側面板４の一辺よりも短いことにより隙間Ｇ１〜Ｇ４が形成され、これらに差し込まれたフラップ９〜１２，１７，１８の根本部分周囲にスペースが確保されると共に、差し込み部１３は、幅Ｄ１３，Ｄ１４が背面側面板４の一辺と略同じ長さとなるように形成されているために、上記のように上蓋１５を正面側面板２に固く接続可能となる。
【００３０】
上記正方形筒体の下側の開口も、上側と同様に、まず、フラップ１８を当該下側の開口の内側に入れ込むようにして折り込み、次に、フラップ１０，１２を当該下側の開口の内側に入れ込むようにして折り込み、その上に下蓋１６を折り重ねる。そして、下蓋１６先端の差し込み部１４を、正面側面板２の下端部内側に差し込む。これにより、下蓋１６についても上蓋１５と同様に、正面側面板２に対して固く接続できる。この組み付けにより、図２（Ｂ）に示すようにブロック玩具が完成する。
【００３１】
但し、フラップ９〜１２，１７，１８は、６つ全部又はその一部を、正方形筒体の上下の開口内側には折り込まず、外側に出したままにしておいてもよい。図２（Ｃ）は、その一例を示した図であり、フラップ９，１１を正方形筒体の開口内側に折り込まず、外側に出した状態を示している。
【００３２】
図３は、ブロック玩具２１の内部を、図２（Ｂ）に示すＣ方向から見た状態を示す透視図である。正面側面板２、左側面板３、背面側面板４、及び右側面板５が折り曲げられ、そして差し込み片６（図示せず）が折り返し片８の内面で係合されることによって、強固に接続された正方形筒体Ｔが形成される。また、下蓋１６の先端に設けられた差し込み部１４は、フラップ１８を挟んで、正面側面板２とフラップ１０との間に、更に、折り返し片８及びフラップ１８を挟んで、正面側面板２とフラップ１２との間とに差し込まれている。
【００３３】
フラップ１８は、正面側面板２の内壁近くまで折り込まれているので、フラップ１８には、折り目Ｂ１８を軸にして、開こうとする復元力が働く。すなわち、フラップ１８には、図中Ｅ方向に動こうとする力が働く。
【００３４】
フラップ１０，１２は、図３に示すように、その根本部分及び先端部分がＣ方向において左側面板３及び右側面板５の辺よりも短く、Ｄ方向における中央部分が左側面板３、右側面板５の辺とＣ方向において略同じ長さであるので、差し込み部１４を正方形筒体Ｔへ差し込む前においては、正方形筒体Ｔの内壁及びフラップ１８に接するのは当該中央部分だけとなる。
【００３５】
このため、正方形筒体Ｔに差し込まれた差し込み部１４は、当該図３に示すように、フラップ１０，１２の中央部分と正面側面板２の内壁、又は、当該中央部分とフラップ１８に挟持されて、正方形筒体Ｔに強固に結合される。
【００３６】
上蓋１５も、下蓋１６と同様にして、差し込み部１３を正方形筒体Ｔの内部に差し込むことにより、正方形筒体Ｔに結合される。これにより、正方形筒体Ｔに上蓋１５及び下蓋１６が糊付けなしに結合され、しかも強固なブロック玩具２１を組み立てることができる。
【００３７】
これにより、図２（Ｂ）に示すように、立方体状のブロック玩具２１が完成する。このとき、左側面板３と上蓋１５の間と、左側面板３と下蓋１６の間とにはそれぞれ隙間Ｇ１，Ｇ２が形成されることになる。隙間Ｇ１，Ｇ２には、矢印Ｓ１の方向から、例えば、図２（Ｃ）に示した状態とされた、別のブロック玩具２１のフラップ９，１１（内側に折り込まれず外側に出したままにされている）を差し込むことが可能である。
【００３８】
これと同様に、右側面板５と上蓋１５の間と、右側面板５と下蓋１６の間とにもそれぞれ隙間Ｇ３，Ｇ４が形成される。隙間Ｇ３，Ｇ４には、矢印Ｓ２の方向に、別のブロック玩具２１のフラップ１７，１８（内側に折り込まれず外側に出したままにされている）を差し込むことが可能である。
【００３９】
なお、正面側面板２に設けられたフラップ１７を内側に折り込まず、外側に出したままとする場合には、上蓋１５の先端に設けられた差し込み部１３を、フラップ１１と折り返し片８との間に挿し入れることが可能である。これにより、フラップ１７を内側に折り込まなくても、上蓋１５を正面側面板２に対して固く接続できる。
【００４０】
正面側面板２に設けられたフラップ１８を内側に折り込まず、外側に出したままとする場合も同様であり、下蓋１６の先端に設けられた差し込み部１４を、フラップ１２と折り返し片８との間に挿し入れることが可能である。
【００４１】
このように、上記実施形態では、左側面板３と上蓋１５の間、左側面板３と下蓋１６の間、右側面板５と上蓋１５の間、右側面板５と下蓋１６の間にはそれぞれ隙間Ｇ１〜Ｇ４が形成される。隙間Ｇ１〜Ｇ４に別のブロック玩具２１において外側に出した状態とされたフラップを差し込むことによって、ブロック玩具２１同士を結合させることができる。
【００４２】
例えば、図４（Ａ）、（Ｂ）に示すように、ブロック玩具２１Ａの左側面板３と上蓋１５との間に形成された隙間Ｇ１に、ブロック玩具２１Ｂの左側面板３に設けられたフラップ９を差し込み、ブロック玩具２１Ａの左側面板３と下蓋１６との間に形成された隙間Ｇ２に、ブロック玩具２１Ｂの右側面板５に設けられたフラップ１１を差し込む。
【００４３】
ブロック玩具２１Ｂのフラップ９は、ブロック玩具２１Ａの左側面板３に設けられたフラップ９と上蓋１５との間に挟まれ、ブロック玩具２１Ｂのフラップ１１は、ブロック玩具２１Ａの左側面板３に設けられたフラップ１０と下蓋１６との間に挟まれる。この状態では、ブロック玩具２１Ｂのフラップ９は、ブロック玩具２１Ａのフラップ９に接し、フラップ９からの押圧を上蓋１５側に向けて受ける。また、ブロック玩具２１Ｂのフラップ１１は、ブロック玩具２１Ａのフラップ１０に接し、フラップ１０からの押圧を下蓋１６側に向けて受ける。このため、ブロック玩具２１Ａに差し込まれたブロック玩具２１Ｂのフラップ９，１１は、ブロック玩具２１Ａから抜けにくくなる。
【００４４】
ブロック玩具２１にはフラップが６つ設けられているので、１つのブロック玩具２１からは、他のブロック玩具に対して差し込み可能な差し込み用フラップを最大で６つ用意することができる。また、ブロック玩具２１には、隙間Ｇ１〜Ｇ４として、他のブロック玩具２１の上記差し込み用フラップを受け入れる隙間が４か所形成される。
【００４５】
そのため、例えば、図２（Ｃ）に示したように、フラップ９，１１を内側に折り込まず、外側に出したままとし、差し込み用のフラップを２つ用意した場合、他のブロック玩具との結合の組み合わせとしては、（１）フラップ９，１１のうちのいずれか１つのみを上記隙間Ｇ１〜Ｇ４のいずれかに差し込む場合に８通り（４か所×２）、（２）フラップ９，１１の両方を上記隙間Ｇ１〜Ｇ４のうち差し込み可能なものに差し込む場合に２通りと、１０通りとなる。すなわち、１つのブロック玩具２１から差し込み用のフラップを２つ用意するだけでも、１０通りの組み合わせがある。
【００４６】
また、各フラップを上記隙間に差し込む形態にも色々と工夫ができ、フラップを根本部分までしっかりと上記隙間に差し込んだり（図４（Ｃ））、先端部分だけを少しだけ差し込んだり（図４（Ｂ））、傾けて差し込むなど、色々な差し込み形態が採用可能である。
【００４７】
さらに、図５に示すように、ブロック玩具２１から突出させた１つのフラップ、例えば、フラップ１８を、他のブロック玩具２１における正面側面板２と、当該正面側面板２の内側に挿し入れられた差し込み部１３との隙間Ｇ５に、差し込むことも可能である。この場合、正面側面板２の内側にはフラップ１７が存在しているため、差し込み側のフラップ１８は、当該フラップ１７と差し込み部１３とから押圧を受けて、隙間Ｇ５内に強固に保持される。同様に、例えば、ブロック玩具２１から突出させた１つのフラップを、他のブロック玩具２１における正面側面板２と、当該正面側面板２の内側に挿し入れられた差し込み部１４との隙間Ｇ６に差し込むことも可能である。この場合も、差し込んだフラップは、当該フラップ１８と差し込み部１４とから押圧を受けて、隙間Ｇ６内に強固に保持される。
【００４８】
このように、複数のブロック玩具２１を用いれば、ブロック玩具２１を結合させて模型等を作成する際の造形の自由度が広くなり、多様な創作を楽しむことができる。また、１枚のシートからブロック玩具２１を簡単に組み立てられ、また、これにより、ブロック玩具２１の製造コストを比較的低く抑えることができる。さらには、組み立てられる前の状態は１枚のシートであり、嵩も大きくならないので、保管スペースの確保も容易であり、輸送コストも低く抑えることができる。
【００４９】
また、正面側面板２に設けられたフラップ１７，１８の根本部分に形成されているミシン目からなる折り目Ｂ１７，Ｂ１８により、フラップ１７，１８は折り目Ｂ１７，Ｂ１８を軸にして、正面側面板２に接触するくらいまで回動可能である。このため、フラップ１７，１８の回動可能領域は広く、フラップ１７，１８を差し込み用フラップとして使用した場合には、造形の自由度をさらに広くすることができる。
【００５０】
フラップ９〜１２，１７，１８はそれぞれ、上述したように、先端部分が左側面板３、右側面板５、正面側面板２の一辺よりも短いので、別のブロック玩具２１の隙間Ｇ１〜Ｇ４へ差し込みやすい。そして、図１に示すＢ方向における中央部分から折り目側によった部分（当該Ｂ方向における中央部分）における上述した幅が、左側面板３、右側面板５、又は正面側面板２の一辺と略同じ長さであるので、別のブロック玩具２１の隙間Ｇ１〜Ｇ４へ差し込んだ時、フラップ９〜１２，１７，１８は、別のブロック玩具２１の内側に折り込まれたフラップ９〜１２や、正面側面板２、左側面板３、背面側面板４、又は右側面板５から適度な押圧を受けて係止するので、ブロック玩具２１同士を固く結合できる。また、フラップ９〜１２，１７，１８における根元に近い部分、すなわち、正面側面板２、左側面板３、背面側面板４、及び右側面板５との連接部分に近い部分が、挿し入れられた受け側のブロック玩具２１の正面側面板２、左側面板３、背面側面板４、又は右側面板５、更には、挿し入れられた受け側のブロック玩具２１のフラップから押圧を受けて係止される。このため、挿し入れている側のブロック玩具２１に対して、受け側のブロック玩具２１から離れる方向に力が働き、当該挿し入れている側のブロック玩具２１が当該方向に移動しても、当該挿し入れている側のブロック玩具２１が、挿し入れられた受け側のブロック玩具２１に接近している状態のうちに上記係止が発生し、当該接近状態が保たれる。これにより、複数のブロック玩具２１同士を、フラップを利用して結合させた場合における、当該結合状態を崩れにくくすることができる。
【００５１】
また、上述したように、上蓋１５、下蓋１６は、幅Ｄ１５，Ｄ１６が背面側面板４の一辺よりも短くなるように形成されているので、隙間Ｇ１〜Ｇ４に、他のブロック玩具２１のフラップ９〜１２，１７，１８が差し込まれた状態では、差し込まれたフラップ９〜１２，１７，１８の根本部分周囲にスペースを確保することができる。これにより、結合された他のブロック玩具２１を取り外す際に、このスペースを可動域として利用して、他のブロック玩具２１を受け入れ側のブロック玩具２１に対して、動かすことが可能になるので、他のブロック玩具２１のフラップ９〜１２，１７，１８を、受け入れ側のブロック玩具２１から外し易くなる。
【００５２】
また、図２（Ｂ）に示したように、上蓋１５の内側にフラップ９，１１が存在し、下蓋１６の内側にフラップ１０，１２が存在しているので、隙間Ｇ１〜Ｇ４に差し込まれた、他のブロック玩具２１のフラップ９〜１２，１７，１８を適度な圧で保持することが可能である。
【００５３】
ここまで、内側に折り込まず、外側に出したままにされたフラップについては、他のブロック玩具２１へ差し込み、他のブロック玩具２１との結合に利用する場合について説明しているが、外側に出したままにされたフラップを他のブロック玩具２１との結合に利用するのではなく、単なる飾りとして利用することも可能である。後で詳しく説明するが、ブロック玩具２１同士を組み合わせて模型を作成した場合に、動物の耳などとして利用することもできる。
【００５４】
また、フラップが不要な場合には、根本部分から切り取っても良い。正面側面板２に設けられたフラップ１７，１８については、その根本部分がミシン目からなる折り目Ｂ１７，Ｂ１８で形成されているので、容易に切り取ることができる。
【００５５】
左側面板３に設けられたフラップ９，１０、右側面板５に設けられたフラップ１１，１２についても、正面側面板２に設けられたフラップ１７，１８と同様に、その根本部分にミシン目からなる折り目Ｌ６〜Ｌ９を形成してもよい。
【００５６】
次に、ブロック玩具２１同士を組み合わせて模型を作成する手法について説明する。図６は、ブロック玩具２１を組み合わせた模型の一例であり、（Ａ）は４本足の動物を示し、（Ｂ）は人型のロボットを示し、（Ｃ）は大きな立方体を示している。図６（Ａ）〜（Ｃ）に示したように、複数のブロック玩具２１を用いて互いに結合させると、ブロック玩具２１同士を結合させるときの造形の自由度が広いため、多様な創作を楽しむことができる。なお、以下に説明する模型の作成手法は一例であり、同じ形のものであっても、色々な作成手法があるのは言うまでもない。
【００５７】
図６（Ａ）に示す動物の耳は、外側に出したままにされたフラップを他のブロック玩具２１との結合に利用せず、そのまま残すことによって形成されている。前足部分は、右前足を構成するブロック玩具２１の外側に出したままにされた２つのうちの一方のフラップを、胴体を構成するブロック玩具２１へ差し込み、もう一方のフラップを、左前足を構成するブロック玩具２１へ差し込むことによって形成されている。また、尾の部分は、外側に出したままにされたフラップを傾けて他のブロック玩具２１に差し込むことによって形成されている。
【００５８】
図６（Ｂ）に示すロボットの手は、正方形筒体の内側に折り込まれず、外側に出したままにされたフラップによって形成されている。つま先の部分は、外側に出したままにされたフラップを残すことによって形成されている。また、肩の部分は、肩を構成するブロック玩具２１の外側に出したままにされた２つのうちの一方のフラップを、上腕を構成するブロック玩具２１へ差し込み、もう一方のフラップを、胴体を構成するブロック玩具２１
へ差し込むことによって形成されている。
【００５９】
図６（Ｃ）に示す大きな立方体は、まずブロック玩具２１を一列に３つ繋げたものを２組用意して、それらを結合させて母体を作り、新たにブロック玩具２１を一列に３つ繋げたものを用意して、それを母体に結合させるという作業を繰り返すことによって形成することができる。
【００６０】
なお、ここまでブロック玩具２１に形成される隙間Ｇ１〜Ｇ４にフラップを差し込むことによって、ブロック玩具２１同士を結合させる場合について説明しているが、ブロック玩具２１同士の結合はこれに限定されるものではなく、その他色々な方法で結合させることができ、例えば、図２（Ｃ）に示したように、左側面板３に設けられたフラップ９、右側面板５に設けられたフラップ１１それぞれが内側に折り込まれず、外側に出したままにされた場合、フラップ９と上蓋１５の間と、フラップ１１と上蓋１５の間にそれぞれ隙間が形成されることになる。当該隙間に、別のブロック玩具２１において、内側に折り込まれず、外側に出した状態とされたフラップを図中上側から下方向に差し込むことによって、ブロック玩具２１同士を結合させることができる。
【００６１】
また、この場合、一方のブロック玩具２１ではフラップ１１を外側に出した状態とし、他方のブロック玩具２１ではフラップ９を外側に出した状態とし、一方のブロック玩具２１ではフラップ１１を、他方のブロック玩具２１におけるフラップ１１と上蓋１５の間の隙間に差し込み、一方のブロック玩具２１におけるフラップ９と上蓋１５の間の隙間に、他方のブロック玩具２１のフラップ９を差し込むことにより、ブロック玩具２１同士を結合させることも可能である。
【００６２】
また、差し込み部１３を差し込む場所に、別のブロック玩具２１のフラップを差し込み、その状態で更に差し込み部１３を差し込むようにして、ブロック玩具２１を結合させるようにしても良い。また、ブロック玩具２１の完成前に（例えば、上蓋１５、下蓋１６を閉じる前に）、別のブロック玩具２１のフラップを挟み込むようにしても良い。このように、結合の方法は無数にあり、創作者のアイディア次第でいくらでも、結合状態にバリエーションを持たせることが可能である。
【００６３】
図７は、ブロック玩具２１の展開図の輪郭に対応する切り取り線が形成されたシートを示したものであり、（Ａ）は展開図が１組形成された状態を示し、（Ｂ）は展開図が２組形成された状態を示している。シート１Ａには、ブロック玩具２１の展開図の輪郭に対応する切り取り線３１Ａと、折り目Ｌ１〜Ｌ１３に対応する折り目線と、切り込み部７に対応する切り込み線と、折り目Ｂ１７，Ｂ１８を構成するミシン目とが形成されている。
【００６４】
シート１Ｂには、ブロック玩具２１の展開図の輪郭に対応する切り取り線３１Ｂ，３１Ｃと、折り目Ｌ１〜Ｌ１３に対応する折り目線と、切り込み部７に対応する切り込み線と、折り目Ｂ１７，Ｂ１８を構成するミシン目とが形成されている。シート１Ａ，１Ｂから、切り取り線に従って、ブロック玩具２１の展開図を切り取り、図２を使って説明したように、組み立てることによって、強固なブロック玩具２１を組み立てることができる。
【００６５】
また、シート１，１Ａ，１Ｂの表面に金色や銀色の塗料などを塗布しておいてもよい。これにより、ブロック玩具２１同士を組み合わせて作成した完成品はキラキラと光り、見栄えを良くすることができる。
【００６６】
また、シート１，１Ａ，１Ｂの裏面を使用しても、表面を使用した場合と同様に、ブロック玩具２１を組み立てることができるので、例えば、表面を銀色又は金色にし、裏面を白色にすれば、使用者の好みによって、銀色又は金色の表面を使用したり、白色の裏面を使用したりすることもできる。また、表面に金色を塗布し、裏面に銀色を塗布するなど、両面に塗料を塗布するようにしてもよい。
【００６７】
なお、図１乃至図７を用いて上記実施形態に示した構成は、本発明の一実施形態に過ぎず、本発明の構成はこれに限定されるものではない。
【符号の説明】
【００６８】
１，１Ａ，１Ｂ  シート
２  正面側面板
３  左側面板
４  背面側面板
５  右側面板
６  差し込み片
７  切り込み部
８  折り返し片
９〜１２  フラップ
１３，１４  差し込み部
１５  上蓋
１６  下蓋
１７，１８  フラップ
２０  側面部
２１，２１Ａ，２１Ｂ  ブロック玩具
３０  蓋部
Ｂ１７，Ｂ１８，Ｌ１〜Ｌ１３  折り目
Ｄ１３〜Ｄ１６  幅
【要約】
【課題】糊付けをしなくても、１枚のシートから強固に組み立て可能であり、他のブロック玩具に対して簡易かつ強固に結合できて取り外しも容易なブロック玩具を提供する。
【解決手段】折り目Ｌ１〜Ｌ３を介して繋げられ、組み立てたときに正方形筒体を形成する正面側面板２、左側面板３、背面側面板４、及び右側面板５と、正面側面板２に折り目Ｌ４を介して設けられている差し込み片６と、右側面板５に折り目Ｌ５を有して設けられ、差し込み片６が差し込まれる切り込み部７を有する折り返し片８と、背面側面板４の各端辺に折り目Ｌ１０，Ｌ１１を介して設けられ、その先端に差し込み部１３，１４が設けられた、正方形筒体の上下の開口を被覆する上蓋１５、下蓋１６と、左側面板３、右側面板５に折り目Ｌ６〜Ｌ９を介して設けられたフラップ９〜１２と、正面側面板２に折り目Ｂ１７，Ｂ１８を介して設けられたフラップ１７，１８と、を備える。
【選択図】図１【図１】
0005767420.tif 000002
【図２】
0005767420.tif 000003
【図３】
0005767420.tif 000004
【図４】
0005767420.tif 000005
【図５】
0005767420.tif 000006
【図６】
0005767420.tif 000007
【図７】
0005767420.tif 000008